(57)【要約】      （修正有）【課題】素子を減らし、組立を容易にし、全体構成をよりコンパクトにし、全体厚みをより低減し、より軽薄にできる電磁式デジタルスクリーンを提供する。【解決手段】電磁式デジタルスクリーン５０は、電磁入力モジュール５７と発光モジュール５６とを含む。電磁入力モジュールは、基層５７３と、基層と重ねて設けられた磁気分離シート５７５と、基層の相反する２つの側面に設けられたタッチ層５７７と、を含む。発光モジュールは、複数の光源５６１を備え、複数の光源のアレイは、基層の磁気分離シートから離れた側の表面に設けられている。電磁式デジタルスクリーンは、電磁入力モジュールが干渉されないことを前提として、点光源とタッチ層とを基層の同じ側の表面に設け、バックライトモジュールと電磁入力モジュールとを一体的な構成に統合した。【選択図】図５
0003235049.tif 000002
【実用新案登録請求の範囲】
【請求項１】
基層と、前記基層と重ねて設けられた磁気分離シートと、前記基層の相反する２つの表面に設けられたタッチ層と、を有する電磁入力モジュールと、
複数の光源を含む発光モジュールと、を備え、
前記複数の光源のアレイは、前記基層の前記磁気分離シートから離れた側の表面に設けられていることを特徴とする電磁式デジタルスクリーン。
【請求項２】
前記光源は、前記タッチ層と同層に設けられている、請求項１に記載の電磁式デジタルスクリーン。
【請求項３】
前記タッチ層は、アレイ状に設けられた複数の行アンテナ及び列アンテナを含み、前記行アンテナと前記列アンテナとは、それぞれ前記基層の対向する２つの表面に設けられており、前記光源は、前記基層の一方側の表面に位置する前記行アンテナまたは前記列アンテナの間に介在しており、前記光源と前記磁気分離シートとは、前記基層の上下両側にそれぞれ位置している、請求項２に記載の電磁式デジタルスクリーン。
【請求項４】
前記光源は、点光源またはライン光源であり、前記点光源のアレイは、前記行アンテナまたは前記列アンテナの間に嵌め込まれ、かつ、前記行アンテナまたは前記列アンテナと互いに絶縁している、請求項３に記載の電磁式デジタルスクリーン。
【請求項５】
前記基層は、多層回路基板であり、前記点光源は、前記基層の表面に実装され、前記アンテナは、前記基層の表面に印刷されている、請求項４に記載の電磁式デジタルスクリーン。
【請求項６】
前記点光源は、発光ダイオードであり、前記ライン光源は、冷陰極蛍光管またはライトバーである、請求項４に記載の電磁式デジタルスクリーン。
【請求項７】
前記発光モジュールと前記電磁入力モジュールとを収容するためのバックプレートをさらに備えた、請求項１に記載の電磁式デジタルスクリーン。
【請求項８】
光学フィルム材及び導光板を含む導光モジュールをさらに備え、
前記光学フィルム材は、前記導光板の表面に重ねて設けられ、
前記発光モジュールは、前記導光モジュールの導光板側に隣接して設けられている、請求項７に記載の電磁式デジタルスクリーン。
【請求項９】
前記導光モジュールの前記磁気分離シートから離れた側に重ねて設けられた表示モジュール、上部ケース及び下部ケースをさらに備え、
前記上部ケースは、前記下部ケースと協力して、前記表示モジュール、前記導光モジュール、前記発光モジュール、前記電磁入力モジュールと前記バックプレートを収容するための収容空間を取り囲むように形成する、請求項８に記載の電磁式デジタルスクリーン。
【請求項１０】
前記発光モジュールは、光源駆動ボードをさらに含み、前記電磁入力モジュールは、手書き制御ボードをさらに含み、
前記光源駆動ボードが前記光源に動的に輝度を調整させるための駆動信号を発生すると、前記手書き制御ボードは前記タッチ層が非受信状態となるように制御し、
前記光源駆動ボードが前記光源を定常状態で動作させるための駆動信号を発生すると、前記手書き制御ボードは前記タッチ層が受信状態となるように制御する、請求項１に記載の電磁式デジタルスクリーン。
【考案の詳細な説明】
【技術分野】
【０００１】
本考案は、手書き入力装置に関し、特に、電磁式デジタルスクリーンに関する。
【背景技術】
【０００２】
図１に示すように、液晶表示装置は、主に、バックライトユニットと液晶表示パネルとが積層されてなる光透過型の表示デバイスである。前記液晶表示パネル１１が動作する場合、画面を表示するために、前記バックライトモジュール１３が前記液晶表示パネル１１を透過する光線を提供する必要がある。
【０００３】
バックライトモジュール１３は、光源１３１と、導光装置１３３とを備えている。光源１３１は、導光装置１３３によって液晶ディスプレイパネル１１に導かれる光を発して、前記光は、液晶ディスプレイパネル１１を透過した後に、人間の目に入って、表示画面の表示を実現する。
【０００４】
導光装置１３３に対する光源１３１の位置関係により、前記バックライトモジュールは、サイドライトモジュールと直下型バックライトモジュールとに分けられ、それぞれ図２ａ及び図２ｂに示す通りである。
【０００５】
図２ａに示すように、従来技術のエッジライト型バックライトモジュールにおいて、サイドライト型バックライトモジュール２３は、導光板２３３側面に設けられたライン光源２３１と、導光板２３３と、を備える。例えば、ライン光源２３１は、冷陰極蛍光管（ＣＣＦＬ）又はライトバー（Ｌｉｇｈｔ  Ｂａｒ）である。ライン光源２３１は、発光して光線を出射し、導光板２３３の側面から導光板２３３に入り、導光板２３３により導かれて前記出光面側から出射し、ライン光源２３１を光強度分布が均一な面光源に変換する。
【０００６】
上述したエッジライト型バックライトモジュール２３において、光源２３１は、常に明るい状態のライン光源である。即ち、ライン光源２３１は、定常の駆動電圧を受けて、均一で一様な光強度を生成する。ライン光源２３１は、定格の光強度を液晶ディスプレイパネル２１に連続的に提供する。
【０００７】
しかしながら、上記サイドライト型バックライトモジュール２３には、次のような欠陥がある。ライン光源２３１が冷陰極蛍光管であり、且つ導光板２３３の側面に設けられ、その発光効率が定常の駆動電圧に基づくものであるため、液晶表示パネル２１の表示画面に対してバックライトの発光効率を動的に調整することが困難であり、動的制御のためにバックライトモジュールを小さな領域に分割することができない。このようなサイドエミッション構造は、バックライトの動的な調整ができず、コストも高い。
【０００８】
図２ｂは、従来技術の直下型バックライトモジュールを用いた別の一種の液晶表示装置を示している。光源３３１は、アレイ状に設けられた複数の点光源を含み、前記点光源は、発光ダイオードである。導光装置３３３は、複数枚積層された光学フィルムシートである。前記光学フィルムシートは、前記アレイ状の点光源上に積層して設けられる。前記点光源が動作する時に、導光装置３３３を介して液晶表示パネル３１に直接に光ビームを照射して画像表示を行う。
【０００９】
実際の表示ニーズにより、異なる領域の表示輝度を動的に調整するために、従来技術は、複数の点光源を領域ごとに分割して設け、異なる表示領域に対して動的点光源駆動方式を設け、フレーム毎の映像信号の表示ニーズに基づいて、異なる領域の階調調整情報をバックライトモジュールに送信する。すると、バックライトモジュールの異なる領域の点光源は、異なる動的駆動電圧によって調節、即ち、エリア調光（Ｌｏｃａｌ  Ｄｉｍｍｉｎｇ）レンダリング技術の下で動的に発光する。
【００１０】
上記した直下型バックライトモジュールにおいて、前記点光源は、ＬＥＤであり、前記ＬＥＤの発光効率は、異なる駆動信号に対応する。
【００１１】
一方、従来の電磁式デジタルスクリーンは、電磁ボード と液晶表示装置とを一体化して構成されている。図３に示すように、電磁ボード４０は、バックライトモジュール３３の外側に重ねて設けられ、液晶表示パネル３１の画像表示と電磁ボード４０のタッチ入力とが同時に行われる。
【００１２】
この動作モードでは、液晶表示パネル３１の駆動信号が、不可避的に、電磁ボード４０のタッチ走査信号を干渉することになり、タッチの誘導量の増大を招く。即ち、ポイントレポートレートが著しく減少し、一方、タッチセンサー（Ｔｏｕｃｈ  ｓｅｎｓｏｒ）層は、バックライトモジュール３３の光源からの距離が近くなり、画面が表示されると、バックライトモジュール３３の光源駆動信号は依然として電磁ボード のタッチ走査信号に大きな影響を与え、電磁ボード４０の実際のポイントレポートレートに影響を与える。
【００１３】
このため、新規な構造の電磁式デジタルスクリーンを提供して、上記課題を解決することが急務となっている。
【考案の概要】
【考案が解決しようとする課題】
【００１４】
上記の課題を解決するために、本考案は、干渉を減少させ、互換性が良く、ポイントレポートレートの高い電磁式デジタルスクリーンを提供する。
【課題を解決するための手段】
【００１５】
本考案に係る電磁式デジタルスクリーンは、電磁入力モジュールと発光モジュールを備え、前記電磁入力モジュールは、基層と、前記基層と重ねて設けられた磁気分離シートと、前記基層の相反する２つの側面に設けられたタッチ層と、を有し、前記発光モジュールは、複数の光源を含み、前記複数の光源のアレイは、前記基層の前記磁気分離シートから離れた側の表面に設けられている。
【考案の効果】
【００１６】
本考案により提供される電磁式デジタルスクリーンは、従来技術と比較して、以下の有益な効果を有する。本考案に係る電磁式デジタルスクリーンの電磁入力モジュールは、前記発光モジュールの光源駆動ボードが定常の駆動信号を発生する周期内で、前記手書き制御ボードは前記タッチ層が受信状態となるように制御して、発光モジュールによる電磁入力モジュールへの干渉を回避する。これにより、前記電磁入力モジュールが干渉されないことを前提として、前記点光源と前記タッチ層とを基層の同じ側面に設け、発光モジュールと電磁入力モジュールとを統合して一体構造とし、素子を減らし、組み立てを容易にすることで、全体構成をよりコンパクトにし、電磁式デジタルスクリーンの全体厚みをより低減し、より軽薄にできる。
【図面の簡単な説明】
【００１７】
本考案の実施例における技術案をより明確に説明するために、以下、実施例の記述に必須な図面を簡単に紹介する。明らかなように、以下に述べる図面は、あくまで本考案のいくつかの実施例に過ぎず、当業者にとって、創造的な労働を支払わない前提で、これらの図面に基づいて他の図面を得ることもできる。
【図１】従来技術の液晶表示装置の分解斜視図である。
【図２ａ】従来のエッジライト型バックライトモジュールの分解斜視図である。
【図２ｂ】従来の直下型バックライトモジュールの分解斜視図である。
【図３】従来の電磁式デジタルスクリーンの概略構成図である。
【図４】本考案の一実施形態に係る電磁式デジタルスクリーンの分解斜視図である。
【図５】図４に示した電磁式デジタルスクリーンの電磁入力モジュールが組み立てられた後の分解模式図である。
【図６】図４に示した電磁式デジタルスクリーンの動作原理のブロック図である。
【図７】図４に示した電磁入力モジュールの側面断面図である。
【図８】図４に示した電磁入力モジュールの平面模式図である。
【考案を実施するための形態】
【００１８】
以下、本願実施例における図面を参照しながら、本願実施例における技術的解決策を明確且つ全体的に説明するが、以下の記載はあくまでも本願の一実施例に過ぎず、すべての実施例ではない。本願の実施例に基づき、当業者が創造的な労働なしに得られるすべての他の実施例は、本願の保護範囲に属する。
【００１９】
図４及び図５を併せて参照すると、図４は、本考案の一実施形態に係る電磁式デジタルスクリーンの分解斜視図であり、図５は、図４に示した電磁式デジタルスクリーンの電磁入力モジュールの組立後の分解斜視図である。電磁式デジタルスクリーン５０は、上部ケース５１と、表示モジュール５３と、導光モジュール５５と、発光モジュール５６と、電磁入力モジュール５７と、バックプレート５８と、下部ケース５９と、を備える。
【００２０】
上部ケース５１は、表示モジュール５３、導光モジュール５５、発光モジュール５６、電磁入力モジュール５７及びバックプレート５８を収容するように、下部ケース５９に合わせて収容空間を形成する。表示モジュール５３、導光モジュール５５、電磁入力モジュール５７及びバックプレート５８は、上部ケース５１から下部ケース５９の方向へ順に重ねて設けられている。発光モジュール５６は、電磁入力モジュール５７に組み込まれている。
【００２１】
図６は、図４に示した電磁式デジタルスクリーンの動作原理を示すブロック図である。表示モジュール５３は、液晶表示パネル５３１と、表示駆動ボード５３３とを含む。表示駆動ボード５３３は、駆動信号を発生して、液晶表示パネル５３１に画面を表示させる。液晶表示パネル５３１は、フレーム画面を表示する。
【００２２】
再び図４及び図５を参照すると、導光モジュール５５は、光ビームが表示モジュール５３を通過するようにガイドして、液晶表示パネル５３１を照らして画像の表示を実現する。導光モジュール５５は、導光板５５１と、少なくとも１つの光学フィルム材５５３と、ベゼル（図示せず）とを含む。光学フィルム材５５３は、導光板５５１の表面に重ねて設けられている。前記ベゼルは、導光板５５１と光学フィルム材５５３とを支持して保持する。
【００２３】
発光モジュール５６は、導光モジュール５５の導光板５５１側に隣接して設けられている。発光モジュール５６は、複数の点光源５６１と、光源駆動ボード５６３とを備えている。点光源５６１は発光ダイオード であり、前記複数の点光源５６１は、アレイ状に配置される。光源駆動ボード５６３は、点光源５６１に対応して電気的に接続され、且つ駆動信号を発生して点光源５６１を動作させるように駆動する。本実施形態では、省エネや画質の向上の目的を達成するために、点光源５６１は、領域ごとに、液晶表示パネル５３１が表示する内容の局所的な階調に対応して、当該領域の明暗度を調整する複数のブロックに区画されている。
【００２４】
具体的には、各フレームの表示画面の表示信号に対して、動的調光制御ボード５３５が提供される。当該動的調光制御ボード５３５は、液晶表示パネル５３１からの画像フレーム信号、制御信号及び電源信号を受信し、それらを処理した後に、領域毎の階調情報を得て、且つ動的制御調光信号を発生して、光源駆動ボード５６３に伝送する。光源駆動ボード５６３は、前記動的制御調光信号に応じて、対応する点光源５６１を動作させるように駆動する。この過程では、複数の点光源５６１は、フレーム画面の表示ニーズに基づいて、省エネや画質コントラストの向上を目的に、異なる強度の光を動的に出力する。
【００２５】
電磁入力モジュール５７は、手書き制御ボード５７１と、基層５７３と、磁気分離シート５７５と、タッチ層５７７とを含む。磁気分離シート５７５は、基層５７３に重なって設けられている。タッチ層５７７は、アレイ状に設けられた列アンテナと、行アンテナとを含み、前記行アンテナ及び前記列アンテナは、それぞれ基層５７３の相反する２つの表面に設けられている。点光源５６１のアレイは、基層５７３の導光板５５１に近接する及び磁気分離シート５７５から離れた側の表面に設けられ、且つタッチ層５７７の一方のアンテナと同じ側面に位置する。点光源５６１とタッチ層５７７とは、同層に設けられる。点光源５６１と磁気分離シート５７５とは、基層５７３の上下両側にそれぞれ位置する。手書き制御ボード５７１は、タッチ層５７７に対応して電気的に接続され、且つ制御信号を出力して、タッチ層５７７の書く動作状態を制御する。また、表示モジュール５３は、導光モジュール５５の磁気分離シート５７５から離れた側に重ねて設けられている。
【００２６】
さらに、図７及び図８を参照すると、図７は図５に示した電磁入力モジュールの側面断面図であり、図８は図４に示した電磁入力モジュールの平面模式図である。基層５７３の表面には、複数の点光源５６１がアレイ状に設けられている。タッチ層５７７は、基層５７３の両面にアレイ状に設けられた複数のアンテナ５７７１を含む。即ち、基層５７３の一方側の表面には、行アンテナ５７７１が設けられ、基層５７３の他方側の表面には、列アンテナ５７７１が設けられている。行アンテナ５７７１と列アンテナ５７７１と基層５７３は、共同でタッチ層５７７を構成する。そして、行アンテナ５７７１と列アンテナ５７７１とは、互いに絶縁して垂直に交差するように設けられる。点光源５６１は、隣り合う行アンテナ５７７１または列アンテナ５７７１の間に挟まれるように設けられる。即ち、点光源５６１と行アンテナ５７７１または列アンテナ５７７１とは、順に間隔を空けて設けられている。点光源５６１は、行アンテナ５７７１の延伸方向に対して平行である。なお、点光源５６１は、行アンテナ５７７１の延伸方向に垂直な方向に沿って、等間隔に配置されている。基層５７３の表面には、点光源５６１とそれぞれ電気的に接続される複数の点光源駆動電極が設けられている。これと同時に、基層５７３の表面のアンテナ５７７１を銅箔で被覆することで、タッチ層５７７を形成する。点光源５６１は、アンテナ５７７１と同一表面に位置し、かつ、互いに間隔を隔てて絶縁に設けられている。基層５７３は、複数層の回路基板である。点光源５６１は、基層５７３の表面に実装される。アンテナ５７７１は、基層５７３の表面に印刷されている。
【００２７】
バックプレート５８は、収容空間を有するアルミニウム材の金属ケースであり、磁気分離シート５７５の外側に設けられている。バックプレート５８は、前記ベゼルに合わせて、電磁入力モジュール５７、発光モジュール５６及び導光モジュール５５を収容して固定するための収容空間を形成する。
【００２８】
下部ケース５９は、上部ケース５１と一致しており、いずれもプラスチック材料によって加工されている。下部ケース５９と上部ケース５１とは、係合構造によって組み付けられている。勿論、両者はネジ等の他の方式によって係合固定されてもよい。
【００２９】
電磁式デジタルスクリーン５０を組み立てる時に、以下のステップを備える。
【００３０】
まず、基層５７３を用意し、磁気分離シート５７５を基層５７３に重ねて設け、タッチ層５７７の列アンテナ及び行アンテナをそれぞれ基層５７３の相反する２つの表面に設ける。
【００３１】
次に、基層５７３の一方側の表面に、アンテナ５７７１と同層に位置するように点光源５６１のアレイを設ける。なお、点光源５６１は、タッチ層５７７のアンテナ５７７１の間に介在し、且つアンテナ５７７１と互いに絶縁して間隔を置いて設けられる。その後、発光モジュール５６と電磁入力モジュール５７とを一体に組み立てる。
【００３２】
第三に、バックプレート５８及びベゼルを用意して、バックプレート５８及びベゼルで上から下へ、光学フィルム材５５３、導光板５５１、点光源５６１、基層５７３及び磁気分離シート５７５を順に収容するための収容空間を形成する。
【００３３】
第四に、前記ベゼルのバックプレート５８から離れた側の表面に、表示モジュール５３をカバーするように設ける。
【００３４】
最後に、互いに係合するように一体に組み立てられる上部ケース５１及び下部ケース５９を提供して、表示モジュール５３、導光モジュール５５、発光モジュール５６、電磁入力モジュール５７及びバックプレート５８を収容して、全体構成を形成する。
【００３５】
これまで、電磁式デジタルスクリーン５０の組み立てが完了する。本実施形態では、光源駆動ボード５６３が駆動信号を発生して点光源５６１に動的に輝度を調整させると、手書き制御ボード５７１はタッチ層５７７を非受信状態とするように制御する。また、光源駆動ボード５６３が駆動信号を発生して、点光源５６１が定常の状態で動作するように駆動すると、手書き制御ボード５７１はタッチ層５７７を受信状態とするように制御する。
【００３６】
従来の技術と比較して、本考案による電磁式デジタルスクリーン５０の電磁入力モジュール５７は、発光モジュール５６の光源駆動ボード５６３が一定の駆動信号を発生する周期内で、手書き制御ボード５７１は、タッチ層５７７が受信状態となるように制御して、発光モジュール５６による電磁入力モジュール５７への干渉を回避する。これにより、電磁入力モジュール５７が干渉されないことを前提として、点光源５６１とアンテナ５７７１とを基層５７３の同じ側面に設け、発光モジュール５６と電磁入力モジュール５７とを一体構造に統合し、素子を減らし、組み立てを容易にすることで、全体構成をよりコンパクトとし、電磁式デジタルスクリーン５０の全体厚みをより低減し、より薄くできる。
【００３７】
電磁式デジタルスクリーン５０が動作する時に、表示駆動ボード５３３は、駆動信号を発生して、液晶表示パネル５３１が行走査及び列走査を実施するように駆動する。即ち、行同期信号Ｈ−ＳＹＮＣとフィールド同期信号Ｖ−ＳＹＮＣである。前記行同期信号Ｈ−ＳＹＮＣは、水平走査の終了を表す補助信号であり、水平ブランキング期間とともに送信される。前記フィールド同期信号Ｖ−ＳＹＮＣは、現在のフレームの走査の終了を表す補助信号であり、フィールドブランキング期間とともに送信される。各フレーム画面の表示時に、液晶表示パネル５３１が前記行同期信号を受信すると、表示駆動ボード５３３は行駆動表示を切り替える。液晶表示パネル５３１が前記フィールド同期信号を受信すると、表示駆動ボード５３３はフレーム駆動表示を切り替える。ここで、前記行同期信号及び前記フィールド同期信号の送信期間、即ち、ブランキング期間において、液晶表示パネル５３１は、表示駆動ボード５３３の駆動信号を受信しない。これに対応して、電磁入力モジュール５７の信号受信を干渉する干渉信号は発生しない。逆に、液晶表示パネル５３１が駆動信号を受信する間、即ち、非ブランキング期間にあれば、液晶表示パネル５３１は、表示駆動ボード５３３の駆動信号を受信して、電磁入力モジュール５７の信号受信に干渉が生じ、ポイントレポートレートに影響を与える。
【００３８】
手書き制御ボード５７１は、表示駆動ボード５３３からの行同期信号Ｈ−ＳＹＮＣとフィールド同期信号Ｖ−ＳＹＮＣとを受信する。これと同時に、手書き制御ボード５７１は、制御信号を発生して、タッチ層５７７のアンテナ５７７１が送信状態、受信状態又は処理状態となるように制御する。これに対応して、手書き制御ボード５７１はアンテナ５７７１が受信状態になるように制御すると、表示駆動ボード５３３の行同期信号とフィールド同期信号とはブランキング期間にある。つまり、アンテナ５７７１が受信状態にあるときに、表示パネル５３１がデブランキング期間にあり、表示駆動ボード５３３の駆動信号を受信しない。言い換えれば、アンテナ５７７１が送信状態または処理状態にあるときに、表示駆動ボード５３３は液晶表示パネル５３１が表示するように駆動し、アンテナ５７７１が受信状態にあるときに、表示駆動ボード５３３の行同期信号及びフィールド同期信号はデブランキング期間にある。
【００３９】
表示駆動ボード５３３が液晶表示パネル５３１を駆動して表示させる過程では、動的な駆動信号を発生する。表示駆動ボード５３３の動的な駆動信号は、タッチ層５７７のアンテナ５７７１の書き込み信号にクロストークを発生し、タッチ層５７７のポイントレポートレートに影響を及ぼすため、本考案の実施形態では、タッチ層５７７のアンテナ５７７１が受信されている間、液晶表示パネル５３１が行同期信号とフィールド同期信号とを受信するブランキング期間にあり、電磁入力モジュール５７のポイントレポートレート及び精度を向上させ、駆動信号のクロストークを低減する。
【００４０】
他方、電磁式デジタルスクリーン５０が動作するときに、フレーム画面を表示する時のダイナミックレンダリングコントラストを高めるために、動的調光制御ボード５３５は、前記動的制御調光信号を発生して光源駆動ボード５６３に送信する。光源駆動ボード５６３は、受信した前記動的制御調光信号に応じて動的な駆動信号を発生して、点光源５６１が設定された光源駆動ボード５６３の駆動信号により発光されるように駆動し、発光へ局所的な動的調整を実現し、フレーム画面を表示する時のダイナミックレンダリングコントラストを高める。この過程において、光源駆動ボード５６３の駆動信号は動的変化の過程にあるので、電磁入力モジュール５７の受信信号にクロストークが発生する。
【００４１】
これに対応して、手書き制御ボード５７１は、動的調光制御ボード５３５からの動的制御調光信号または光源駆動ボード５６３からの駆動信号を受信し、且つタッチ層５７７のアンテナ５７７１が非受信状態となるように制御する。つまり、タッチ層５７７のアンテナ５７７１が受信状態になるときに、光源駆動ボード５６３は定電流又は定電圧駆動信号を発生して点光源５６１を発光させるように駆動する。逆に、光源駆動ボード５６３が動的電流又は動的電圧駆動信号を発生して点光源５６１を発光させるように駆動すると、タッチ層５７７のアンテナ５７７１が非受信状態、即ち、送信状態又は処理状態になる。
【００４２】
本実施形態では、液晶表示パネル５３１が表示駆動ボード５３３の駆動信号を受信する過程において、表示駆動ボード５３３の駆動信号の干渉によって、電磁入力モジュール５７の信号受信に影響する。他方、表示画面の動的コントラストを高めるために、発光モジュール５６は、受信した前記動的制御調光信号に基づいて、表示画面に対する動的輝度調整を実現する。ここで、点光源５６１の動的調整過程において、光源駆動ボード５６３の駆動信号の動的な変化に起因して、電磁入力モジュール５７の信号受信が影響を受ける。
【００４３】
液晶表示パネル５３１からの干渉に対して、本考案による電磁入力モジュール５７の手書き制御ボード５７１は、表示駆動ボード５３３の行同期信号と、フィールド同期信号とを受信し、且つタッチ層５７７が受信状態になるように制御する。表示駆動ボード５３３の行同期信号及びフィールド同期信号がブランキング期間に応じて送信されることによって、液晶表示パネル５３１は、タッチ層５７７の信号受信に対して干渉が生じず、ポイントレポートレート及び互換性が向上し、干渉を低減する。
【００４４】
発光モジュール５６の動的発光調整による干渉に対して、本考案の電磁入力モジュール５７の手書き制御ボード５７１は、動的調光制御ボード５３５の動的制御調光信号または光源駆動ボード５６３の駆動信号を受信し、タッチ層５７７が非受信状態になるように制御する。光源駆動ボード５６３の駆動信号によって点光源５６１の発光強度が動的に調整されることは、電磁入力モジュール５７の信号受信を干渉するので、タッチ層５７７のアンテナ５７７１が非受信状態となるように調節する。光源駆動ボード５６３の駆動信号が定常の状態にある時に、タッチ層５７７のアンテナ５７７１が受信状態になるように調整し、干渉を回避し、互換性やポイントレポートレートを高める。
【００４５】
上記実施形態のさらなる改良として、発光モジュール５６の動的調整は、全体の輝度調整（Ｇｌｏｂａｌ  Ｄｉｍｍｉｎｇ）であってもよいし、局所的な輝度調整（Ｌｏｃａｌ  Ｄｉｍｍｉｎｇ）であってもよい。当業者にとって、動的な電流信号または電圧信号は干渉磁界を発生するので、光源駆動ボード５６３の動的な調整駆動信号によるタッチ層５７７の信号受信への影響を回避するために、タッチ層５７７が非受信状態となるように、手書き制御ボード５７１を用いて制御することは、すべて本考案の創作趣旨に属する。
【００４６】
さらに、発光モジュール５６の光源は、点光源のみに限らず、アレイ状に設けられたライン光源であってもよい。もちろん、導光モジュール５５の導光板５５１は、実際の表示の必要に応じて削除されてもよい。
【００４７】
さらに、発光モジュール５６は、タッチ層５７７と同一の層に設けられていなくてもよく、タッチ層５７７がブランク期間において入力信号を受信するので、発光モジュール５６が定常の電圧または電流で光源を駆動すると、タッチ層５７７が発光モジュール５６の駆動信号からの干渉を受けないので、タッチ層５７７と発光モジュール５６との相対位置は影響を受けない。
【００４８】
従来の技術に比べて、本考案による電磁式デジタルスクリーン５０は、表示駆動ボード５３３の行同期信号とフィールド同期信号とのブランキング期間又は発光モジュール５６の光源動的調整期間に応じて、手書き制御ボード５７１によって、表示モジュール５３及び発光モジュール５６のタッチ層５７７に対する干渉を回避し、互換性及びポイントレポートレートを向上させるように、対応する制御信号を発生して、制御層５７７が受信状態または非受信状態にあるように制御する。
【００４９】
以上は、本願の実施例のみであり、本願の実用新案権の範囲を限定するものではなく、本願明細書及び図面を利用して作成された等価な構造又は等価なプロセスを、直接又は間接的に他の関連技術分野に適用して得られたものは、いずれも本願の実用新案登録請求の範囲内に含まれる。
【図１】
0003235049.tif 000003
【図２ａ】
0003235049.tif 000004
【図２ｂ】
0003235049.tif 000005
【図３】
0003235049.tif 000006
【図４】
0003235049.tif 000007
【図５】
0003235049.tif 000008
【図６】
0003235049.tif 000009
【図７】
0003235049.tif 000010
【図８】
0003235049.tif 000011